(57)【特許請求の範囲】
【請求項１】
本体内に高周波を発振するマグネトロンと被加熱物を加熱する加熱室と、前記加熱室の温度を上昇させるヒーターを有し、前記加熱室は略直方体形状とし、前記直方体を構成する上板、下板、裏板、右板、左板、前板の６個の各面を、その面の必要とする性能、機能に合わせた材質、厚み、処理にした構成とし、前記マグネトロンは前記裏板に設け前記加熱室の下方に配置して前記裏板に取付られた導波管から高周波を前記加熱室内に供給し、前記ヒーターは前記加熱室の外側で前記上板と下板に設け、前記下板の底面はその外周部より前記ヒーターに対向する部分を上方に絞りあげ、前記左板、右板と前記底板の繋ぎ目は、前記マグネトロンを動作させるための電気部品が下方に配置された前記下板の上方に絞りあげた前記底面より上に設けた加熱調理器。
【発明の詳細な説明】
【０００１】
【発明の属する技術分野】
本発明は高周波加熱とヒーター加熱を行う加熱調理器で、特にオーブンレンジに関する。
【０００２】
【従来の技術】
従来のこの種の加熱調理器は実開昭６２−１３５０１１号公報に記載されているようなものが一般的であった。この加熱調理器は図４に示すように加熱室は上板５、裏板９と、一体に構成された左板１５、右板１４、底板６で構成されている。
【０００３】
そして上記一体に構成された左板、右板、底板は平面の状態で小物のスポットや塗装などをした後コの字状に曲げて他の部分と共に加熱室を構成するようにようになっていた。この種の方法では一体に構成された部分は耐熱性と絞り性の良い高価なオーステナイト系材料が使用され、汚れ防止のために左板１５、右板１４に相当する面にフッソ塗装を施こし、底板６に相当する部分には耐熱性のあるセラミック塗装をするという２度手間の塗装をしていた。
【０００４】
【発明が解決しようとする課題】
しかしながら上記従来の加熱調理器では、加熱室の左右側面や底面部に複雑な絞りを構成すると高価な材料を多く使用しなければならず、しかも加熱室の底面にはヒーターを取付けるので耐熱性も要求された。したがって金属材料としてはオーステナイト系のＳＵＳ３２１などの特殊な材料を使用しなければならなかった。また加熱室内に塗装をする場合左右側面の塗装と底面の塗装が異なっているので２度手間になったり、容量の大きい塗装設備が必要という課題もあった。結果的にはコスト高になっていた。
【０００５】
【課題を解決するための手段】
本発明は上記課題を解決するため、加熱室は略直方体形状とし、前記直方体を構成する上板、下板、裏板、右板、左板、前板の６個の各面を、その面の必要とする性能、機能に合わせた材質、厚み、処理にした構成とし、前記マグネトロンは前記裏板に設け前記加熱室の下方に配置して前記裏板に取付られた導波管から高周波を前記加熱室内に供給し、ヒーターは前記加熱室の外側で前記上板と下板に設け、前記下板の底面はその外周部より前記ヒーターに対向する部分を上方に絞りあげ、前記左板、右板と前記底板の繋ぎ目は、前記マグネトロンを動作させるための電気部品が下方に配置された前記下板の上方に絞りあげた前記底面より上に設けたものである。
【０００６】
上記発明によれば加熱室を構成する各面は必要とする金属材料、厚み、表面処理、塗装などがそれぞれ選定できるので結果的に安くすることができる。たとえば加熱室底板は耐熱性が要求されるので、ＳＵＳ４３０を使用し、塗装はセルフクリーニング塗装をすることができる。左右側面の左板、右板は耐熱が不要なので安い表面処理鋼板を使用することができる。
【０００７】
【発明の実施の形態】
本発明の請求項１にかかる加熱調理器は加熱室とマグネトロンとヒーターを有し、直方体の前記加熱室を構成する上板、下板、裏板、右板、左板、前板の６個の各面を、その面の必要とする性能、機能に合わせた材質、厚み、処理にした構成とすることにより、各面の絞り性が良くなり塗装などが簡単にできる。
【０００８】
そして加熱調理器は加熱室各壁面の用途に合った金属材料、厚み、表面処理、塗装などすることができる。
【０００９】
また本発明の加熱調理器は加熱室を構成する裏板にマグネトロンを取付け加熱室の下方に配置することにより加熱調理器を巾方向が小さくコンパクトに設計できる。
【００１０】
また本発明の加熱調理器のヒーターは加熱室の外側で前記上板と下板に設け、前記下板の底面はその外周部より前記ヒーターに対向する部分を上方に絞りあげ、前記左板、右板と前記底板の繋ぎ目は、マグネトロンを動作させるための電気部品が下方に配置された前記下板の上方に絞りあげた前記底面より上に設けた構成とする。そして加熱室の下面と側面の隙間から水がにじみ出て加熱室底面外側に取付られたヒーターに達することはないので安全である。
【００１１】
そして加熱室内に水がこぼれても加熱室の下方にある電気部品に到達しない。また加熱室底面の掃除もし易い。
【００１２】
【実施例】
以下、本発明の実施例について図面を用いて説明する。
【００１３】
（実施例１）
図１は本発明の実施例１の加熱調理器の加熱室構成図、図２は同加熱調理器の外観斜視図、図３は同加熱調理器の中央断面図である。なお従末例１と同一符号のものは同一構造を有し、説明は省略する。
【００１４】
図において、１は加熱調理器本体、２は加熱室内の被加熱物を出し入れするドアーで下方には加熱調理器を制御するコントロールパネル３が設けてある。図３において加熱室４の上板５と底面６ａの外側にそれぞれヒーター７ａ、７ｂが設けてありヒーター加熱ができる。マグネトロン８は裏板９の下方に取付けられ、導波管１０から高周波電磁波を加熱室４に供給している。導波管１０は裏板９の後ろにスポットなどで固着されている。１１は被加熱物（図示せず）を載せる載置台、１２は載置台１１を回転させるターンテーブル、１３はそのモーターである。加熱室４の下方の空間にはマグネトロン８を駆動するための電気部品（図示せず）を収納している。
【００１５】
次に動作、作用について説明する。
マグネトロン８は加熱室４の下方に配置され、裏板９と導波管１０でマグネトロン８の高周波電磁波を加熱室に導くので、裏板９と導波管１０は出来るだけ高周波ロスの少ない材料が要求されるのでアルミメッキ鋼板などで構成される。上板５と底面６ａはヒーター７ａ、７ｂを取付けるため耐熱性や耐腐食性、低熱膨張性が要求されるのでステンレス材などが使用される。
【００１６】
図１において加熱室４を構成する壁面はそれぞれ別々の部品で構成されている。５は上板、６は下板、９は裏板、１０は導波管、１４は右板、１５は左板、１６は前板である。右板１４、左板１５はヒーター加熱時に使用するオーブン皿（図示せず）を載せるためのレールを絞り加工で段部を構成している。従って絞り性のよい材料が使用される。また加熱による汚れを防止するためにフッソなどを予め塗装したプリコート鋼板なども使用されることもある。前板１６は加熱室の前面なので化粧性のある材料やドアーからの電波漏洩を防止する材料が使用される。上板５と下板６はヒータ加熱による汚れ防止のため耐熱性のあるセラミック塗装が施されている。下板６の底面６ａは上方向に絞り上げていて下ヒータが配置されている。底板６と右板１４、左板１５の継ぎ目は下板６の端を円弧状１７ａ、１７ｂに曲げた先端で固着している。
【００１７】
【発明の効果】
以上説明したように本発明の請求項１に係る加熱調理器は加熱室を構成する上板、下板、裏板、右板、左板、前板の６個の各面を、その面の必要とする性能、機能に合わせた材質、厚み、処理にした構成にしているので各面の用途に合った材料が選定できる。又各面に塗装などの表面処理をする場合も少い工程でよく、予め塗装されたプリコート鋼板なども使用することができるので、結果的に安価に加熱室が構成できる。
【００１８】
また、本発明の加熱調理器はマグネトロンとそれを駆動する電気部品は加熱室の下に配置しているので加熱室のヒーターの熱が電気部品に伝わりにくく、電気部品の冷却効率がよい。又加熱調理器本体もコンパクトに設計できる。
【００１９】
また、本発明は下板の底面はその外周部よりヒーターに対向する部分を上方に絞りあげ、左板、右板と前記底板の繋ぎ目は、マグネトロンを動作させるための電気部品が下方に配置された前記下板の上方に絞りあげた前記底面より上に設けているので下板にこぼれた水が下ヒータに達することはない。
【００２０】
また、下板に水がこぼれても下の電気部品に達しないので信頼性が高い。
【図面の簡単な説明】
【図１】  本発明の実施例１における加熱調理器の加熱室の構成図
【図２】  同加熱調理器の外観斜視図
【図３】  同加熱調理器の断面図
【図４】  従来例の加熱室の構成図
【符号の説明】
４  加熱室
５  上板
６  下板
６ａ  底面
８  マグネトロン
９  裏板  １０  導波管
１４  右板
１５  左板
１６  前板
【図１】
0003985339.tif 000002
【図２】
0003985339.tif 000003
【図３】
0003985339.tif 000004
【図４】
0003985339.tif 000005